(57)【要約】【課題】家庭内の系統ごとに分けられた電気機器について、監視したい系統設備が増えても容易に増設可能とし、また、どこの場所でどれくらいの電気を使用しているかということをわかりやすくを表示する太陽光発電システムを提供することを目的とする。【解決手段】太陽電池モジュール部と太陽電池モジュールからの直流出力を交流に変換する機能を備えたパワーコンディショナー装置部と、パワーコンディショナー装置と電力会社からの系統を接続し、かつ家庭内の電化製品である家庭内負荷とパワーコンディショナー装置および電力会社からの系統を接続する分電盤を備えた太陽光発電システムにおいて、検出用のセンサおよび検出装置は必要に応じて増設を可能とし、かつ表示装置は前記検出装置の増設に応じて家庭内における系統ごとの消費電力を表示確認できるようにする。【選択図】  図１
2014011863.tif 000002
【特許請求の範囲】
【請求項１】
光を受光して直流電力を出力する太陽電池モジュールと、
直流電力を交流電力に変換するパワーコンディショナーと、
前記パワーコンディショナーからの交流電力、または、商用電源からの交流電力を複数系統の家庭内負荷に供給する分電盤と、
前記複数系統の家庭内負荷の各々へ流れる電流を測定する複数のセンサと、
該複数のセンサの出力が入力される検出装置と、
前記複数のセンサからの出力に基づいて演算した各家庭内負荷の消費電力を表示する表示装置とを備えたことを特徴とする太陽光発電システム。
【請求項２】
請求項１に記載の太陽光発電システムにおいて、
各家庭内負荷の消費電力は、前記検出装置または前記表示装置で演算して求めたものであることを特徴とする太陽光発電システム。
【請求項３】
請求項１に記載の太陽光発電システムにおいて、
前記検出装置を複数設けたことを特徴とする太陽光発電システム。
【請求項４】
請求項１に記載の太陽光発電システムにおいて、
前記表示装置には、各ページに複数の各家庭内負荷の消費電力が表示されるとともに、複数ページに亘り各家庭内負荷の消費電力が表示されることを特徴とする太陽光発電システム。
【請求項５】
複数の太陽電池モジュールを直列および並列に形成した太陽電池モジュール部と、
太陽電池モジュールからの直流出力を交流に変換する機能を備えたパワーコンディショナー部と、
パワーコンディショナーと電力会社からの系統を接続し、かつ家庭内の電化製品である家庭内負荷とパワーコンディショナーおよび電力会社からの系統を接続する分電盤を備えた太陽光発電システムにおいて、
前記分電盤に接続し、太陽光の発電からなる出力電圧および出力電流を検出し、かつ系統側の売電電力もしくは買電電力となる消費電流を検出する検出装置部を設けたことを特徴とする太陽光発電システム。
【発明の詳細な説明】
【技術分野】
【０００１】
本発明は、太陽光発電システムに関するものであり、特に、発電量、電力使用量、売電量、買電量などを表示する表示装置を備えた太陽光発電システムに関するものである。
【背景技術】
【０００２】
近年、住宅用機器を全て電化するというオール電化住宅の流れが顕著になりつつある。そして、この一環として太陽光発電システムによる自家発電の流れもある。
【０００３】
従来の太陽光発電システムは、屋内に設置した表示モニタで、総発電量、総電力使用量、売電量、買電量などがわかるものであった。
【０００４】
また、特許文献１では、パワーコンディショナーと商用電源が接続される分電盤において、電力を検出するセンサ部とパソコン等の表示装置へ無線送信するインターフェース装置を分電盤内へ配置し構成するものである。また、家庭内のコンセントに検出センサを内蔵した無線モジュールを設置し、電機機器を接続することで個別に機器の電力を表示装置へ送信し、表示するものである。
【先行技術文献】
【特許文献】
【０００５】
【特許文献１】特開２００１−２６８８０１号公報
【発明の概要】
【発明が解決しようとする課題】
【０００６】
一般家庭の分電盤には、リビングや台所、エアコン、１階や２階といったように家庭内の系統ごとに漏電および過電流保護用のブレーカが配備されている。しかし、従来の太陽光システムの表示装置に表示される内容は、太陽光モジュールの総発電量と、家庭全体で消費される総電力使用量と、売買に応じた売買電力値（売電量、買電量）であり、各系統の使用量は表示されない。
【０００７】
また、特許文献１では各コンセントに検出センサを内蔵した無線モジュールを使用することで個別に機器の電力を確認できるようにしてはいるが、この目的は個別機器の使用電力量の確認であり、すべてのコンセントへ設置することも可能ではあるが、費用が非常にかかるものとなる。
【０００８】
本発明は、以上の課題を鑑みなされたものであり、太陽光発電システムの表示装置に、各系統の消費電力を区別して表示できるようにすることを目的とする。
【課題を解決するための手段】
【０００９】
上記課題は、光を受光して直流電力を出力する太陽電池モジュールと、直流電力を交流電力に変換するパワーコンディショナーと、前記パワーコンディショナーからの交流電力、または、商用電源からの交流電力を複数系統の家庭内負荷に供給する分電盤と、前記複数系統の家庭内負荷の各々へ流れる電流を測定する複数のセンサと、該複数のセンサの出力が入力される検出装置と、前記複数のセンサからの出力に基づいて演算した各家庭内負荷の消費電力を表示する表示装置とを備えた太陽光発電システムによって解決される。
【発明の効果】
【００１０】
本発明によれば、太陽光発電システムの表示装置に、各系統の消費電力を区別して表示することができる。
【図面の簡単な説明】
【００１１】
【図１】一実施例の太陽光発電システムの構成を説明する図である。
【図２】一実施例の分電盤の詳細な構成を説明する図である。
【図３】一実施例の表示装置の表示例１である。
【図４】一実施例の表示装置の表示例２である。
【発明を実施するための形態】
【００１２】
以下、本発明の実施例を図１から図４に従って説明する。
【００１３】
図１は本実施例の太陽光発電システムの構成図を示している。図１において、１は光を受光して直流電力を出力する太陽電池モジュールである。３は直流電力を交流電力に変換するインバータ機能を有したパワーコンディショナーである。２は太陽電池モジュール１とパワーコンディショナー３を接続する接続装置である。４はパワーコンディショナー３または商用電源９からの交流電力を、コンセント１０を備えた家庭内負荷７に供給する分電盤である。また、分電盤４には複数系統の家庭内負荷７（７ａ〜７ｘ）の消費電力を検出する複数の検出装置５（５ａ〜５ｘ）が接続される。なお、ここでは、家庭内負荷７ａ〜７ｘおよび検出装置５ａ〜５ｘを備えた例を示したが、後述するように、これらが同数である必要は無い。６は検出装置５と無線でデータ通信を行う表示装置である。８は商用電源９と分電盤４を接続する電力メータである。
【００１４】
検出装置５と表示装置６はデータ通信を行う無線通信装置をそれぞれ内蔵しており、検出装置５から送信されたデータは離れた場所の表示装置６で受信できる。また、検出装置５は宅内の系統数に応じて増設（５ａ〜５ｘ）することが可能である。
【００１５】
図２は分電盤４の詳細構成を示したものである。分電盤４には、パワーコンディショナー３、複数の検出装置５、家庭内負荷７ａ（家庭内機器１  リビングへ）、７ｂ（家庭内機器２  １階エアコンへ）、７ｃ（家庭内機器３  洗面所へ）、７ｄ（家庭内機器４  ２階エアコンへ）、７ｅ（家庭内機器５  ２階部屋へ）、および、電力メータ８の接続が集約される。また、分電盤４には、主幹ブレーカ２１、宅内用主幹ブレーカ２２、連系用ブレーカ２３、宅内負荷用ブレーカ２４ａ〜２４ｅなどの保護用ブレーカが設けられ、宅内負荷用ブレーカ２４ａ〜２４ｅによって、家庭内負荷７ａ〜７ｅを個別に切断することができる。
【００１６】
また、各検出装置５には、センサ２５を接続する端子が複数設けられる。例えば、検出装置５ａには、商用電源９との売買電流を検出するセンサ２５ａの出力と、パワーコンディショナー３の発電電流を検出するセンサ２５ｂの出力が入力され、両センサの出力から、パワーコンディショナー３の発電電力と商用電源９への売電電力または買電電力を演算する。また、検出装置５ｂには、家庭内負荷７ａ〜７ｃへの電流を検出するセンサ２５ｃ〜２５ｅの出力が入力され、家庭内負荷７ａ〜７ｃの消費電力を演算することができる。さらに、検出装置５ｃには、家庭内負荷７ｄ、７ｅへの電流を検出するセンサ２５ｆ、２５ｇの出力が入力され、家庭内負荷７ｄ、７ｅの消費電力を演算することができる。なお、ここでは、検出装置５を３台使用する構成を説明したが、センサ２５の数に応じて所望の数の検出装置５を用いることができるのは言うまでも無い。
【００１７】
検出装置５が演算して求めた各種電力情報は無線通信により表示装置６へ送信される。図３、図４は表示装置６の表示例を示したものである。前述したように、検出装置５では各系統の電力を演算しており、そのデータは最終的に無線通信により表示装置６へ定期的に伝送される。図３の表示例ではパワーコンディショナー３の発電量が２.５kW、家庭の総消費電力が１.５kW、電力の余剰による状態は売電状態であり、売電電力量は１.０kWとなっている例である。
【００１８】
また、表示装置６の機能により次ページ以降には他の監視データが表示される仕様となっている。図４の表示例では、家庭内負荷７ａ（家庭内機器１  リビングへ）の消費電力が０.１kW、家庭内負荷７ｂ（家庭内機器２  １階エアコンへ）の消費電力が１.０kW、家庭内負荷７ｃ（家庭内機器３  洗面所へ）が０.０kWが示されており、一目で各系統の電力使用状態がわかるようになっている。図４の例では、１ページに３系統の家庭内負荷７ａ〜７ｃの消費電力を表示したが、家庭内負荷７ｄ、７ｅの消費電力を次のページに表示することで、家庭内負荷７の系統が更に増えた場合であっても全ての系統の消費電力を表示することができる。
【００１９】
なお、本実施例では検出装置５と表示装置６間の通信仕様を無線通信としたが、有線通信で実施しても同等の効果を得られるものである。また、センサ２５による消費電流の検出値とパワーコンディショナー３からの出力電圧より検出装置５で各電力の演算を実施したが、検出したデータをそのまま表示装置６へ送信して表示装置６において、この演算を実施し、表示を行っても同等の効果を得られるものである。
【００２０】
以上で説明した本実施例によれば、家庭内の系統ごとに分けられた電気機器について、監視したい系統設備が増えても簡単に検出設備を増設することができ、また、家庭内のどの場所でどれくらいの電気を使用しているかということを表示装置６で個別に表示するため、顧客は容易に電気の使用状況がわかり、よりエコを意識できる環境となる。
【符号の説明】
【００２１】
１  太陽電池モジュール
２  接続装置
３  パワーコンディショナー
４  分電盤
５、５ａ〜５ｘ  検出装置
６  表示装置
７、７ａ〜７ｘ  家庭内負荷
８  電力メータ
９  商用電源
１０  コンセント
２１  主幹ブレーカ
２２  宅内用主幹ブレーカ
２３  連系用ブレーカ
２４ａ〜２４ｅ  宅内負荷用ブレーカ
２５ａ〜２５ｇ  センサ
【図１】
2014011863.tif 000003
【図２】
2014011863.tif 000004
【図３】
2014011863.tif 000005
【図４】
2014011863.tif 000006